(57)【要約】【課題】電気光学装置の周囲の環境光の光強度を好適に検出する。【解決手段】光検出装置（１３０）は、環境光を含む光を受光する第１受光素子（１３１）と、環境光を含む光を受光する第２受光素子（１３２）と、環境光が第２受光素子に入射する光路に配置される赤色カラーフィルタ（６２）とを備える。【選択図】図４
2010008276.tif 000002
【特許請求の範囲】
【請求項１】
環境光を含む光を受光する第１受光素子と、
前記環境光を含む光を受光する第２受光素子と、
前記環境光が前記第２受光素子に入射する光路に配置される赤色カラーフィルタと
を備えることを特徴とする光検出装置。
【請求項２】
前記環境光が前記第１受光素子に入射する光路に配置される第１の緑色カラーフィルタを更に備えることを特徴とする請求項１に記載の光検出装置。
【請求項３】
前記環境光が前記第２受光素子に入射する光路に配置される第２の緑色カラーフィルタを更に備えることを特徴とする請求項２に記載の光検出装置。
【請求項４】
前記第２の緑色カラーフィルタは、前記環境光が前記第２受光素子に入射する側から見て前記赤色カラーフィルタの手前側に位置することを特徴とする請求項３に記載の光検出装置。
【請求項５】
前記第１受光素子における受光結果と前記第２受光素子における受光結果との差分に基づいて、前記環境光の可視光成分を検出する検出回路を更に備えることを特徴とする請求項１から４のいずれか一項に記載の光検出装置。
【請求項６】
環境光を含む光を受光し、前記環境光の少なくとも可視光成分に受光感度を有する第１受光素子及び第２受光素子と、前記第１受光素子における受光結果と前記第２受光素子における受光結果との差分に基づいて前記環境光の可視光成分を検出する検出回路を備え、前記第１受光素子及び前記第２受光素子の夫々が低温ポリシリコンプロセスにより基板上に形成された光検出装置であって、
前記環境光が前記第２受光素子に入射する光路に配置され、前記可視光成分を遮断し、近赤外光成分を透過するフィルタを更に備えることを特徴とする光検出装置。
【請求項７】
請求項１から６のいずれか一項に記載の光検出装置を備えることを特徴とする電気光学装置。
【請求項８】
前記電気光学装置に対して光を供給する光源と、
前記第１受光素子における検出結果と前記第２受光素子における検出結果との差分に基づいて、前記光源の光量を制御する調整回路と
を備えることを特徴とする請求項７に記載の電気光学装置。
【請求項９】
請求項７又は８に記載の電気光学装置を備えることを特徴とする電子機器。
【発明の詳細な説明】
【技術分野】
【０００１】
本発明は、例えば光センサ等を含む光検出装置、このような光検出装置を備える液晶装置等の電気光学装置、及びこのような電気光学装置を備える電子機器の技術分野に関する。
【背景技術】
【０００２】
電気光学装置の一例として、一対の基板間に電気光学物質として液晶を挟持してなる液晶装置があげられる。このような液晶装置では、例えば液晶パネルを構成する一対の基板間において液晶を所定の配向状態としておき、例えば画像表示領域に形成された画素部毎に、液晶に所定の電圧を印加することにより、液晶における配向や秩序を変化させて、光を変調することにより階調表示を行う。
【０００３】
このような液晶装置における視認性は、周囲の明るさ（例えば、環境光の光強度）に応じて変化することが知られている。例えば、液晶装置の周囲が相対的に明るい場合（例えば、環境光が相対的に強い場合）には、液晶装置の輝度（具体的には、バックライトからの光の輝度）を相対的に明るくした方が、視認性が向上する。他方で、例えば、液晶装置の周囲が相対的に暗い場合（例えば、環境光が相対的に弱い場合）には、液晶装置の輝度を必要以上に明るくしなくとも、視認性が悪化することはない。このような構成を実現するために、特許文献１には、環境光やバックライト光が照射される第１のフォトダイオードと、環境光のみが遮光された第２のフォトダイオードとを備える光センサが開示されている。この光センサでは、第１のフォトダイオードと第２のフォトダイオードとを直列に接続されているため、第１のフォトダイオードの出力と第２のフォトダイオードの出力との差分を出力することができる。その結果、バックライト光やフォトダイオード自身の温度特性（例えば、バックライト光を受光することで生ずるバックライト光電流や、環境温度によって変化する熱電流等）の影響を排除した受光電流（つまり、環境光のみに基づく受光電流）を出力することができる。
【０００４】
【特許文献１】特開２００７−２０５９０２号公報
【発明の開示】
【発明が解決しようとする課題】
【０００５】
ここで、環境光の光強度を高精度に検出するためには、フォトダイオードの分光感度特性を、人間の目の感度である比視感度特性に近づけることが好ましい。しかしながら、フォトダイオードの分光感度特性は、人間の目の感度である比視感度特性と異なる場合があり得る。例えば、低温ポリシリコン（Low Temperature Poly Silicon）プロセスにより製造されるＰＩＮダイオードを光センサとして用いる場合には、ＰＩＮ（P Intrinsic N）ダイオードは、可視光成分のみならず近赤外光成分（具体的には、概ね７００ｎｍから１２００ｎｍの波長を有する光成分）にまで感度を有している。このため、環境光やバックライト光が照射される第１のフォトダイオードと環境光のみが遮光された第２のフォトダイオードとを備える光センサでは、環境光の可視光成分に基づく受光電流のみならず、人間の目に感知されない近赤外光成分に基づく受光電流が光センサから出力されてしまう。このため、例えば周囲の環境（つまり、環境光）が「暗い」と人間の目には感知されている状況であっても、環境光の近赤外光成分に基づく受光電流が出力されるだけ環境光が相対的に明るいと判定されてしまいかねない。このため、表示装置の輝度を好適に調整することができないという技術的な問題点を有している。
【０００６】
本発明は、例えば上述した従来の問題点に鑑みなされたものであり、例えば電気光学装置の周囲の環境光の光強度を好適に検出することができる光検出装置、電気光学装置及び電子機器を提供することを課題とする。
【課題を解決するための手段】
【０００７】
（光検出装置）
上記課題を解決するために、本発明の光検出装置は、環境光を含む光を受光する第１受光素子と、前記環境光を含む光を受光する第２受光素子と、前記環境光が前記第２受光素子に入射する光路に配置される赤色カラーフィルタとを備える。
【０００８】
本発明の光検出装置によれば、環境光（例えば、当該光検出装置を備える電気光学装置の外部からの光であって、例えば太陽光等の外光）を含む光は、第１受光素子及び第２受光素子の夫々によって受光される。このとき、第１受光素子と第２受光素子とは、相互に直列に接続されていることが好ましい。また、後述する検出回路の入力端子は、第１受光素子と第２受光素子との間に電気的に接続されることが好ましい。つまり、後述する検出回路には、第１受光素子における受光結果と第２受光素子における受光結果との差分が出力されることが好ましい。
【０００９】
本発明に係る光検出装置では特に、環境光が第２受光素子に入射する光路上には、赤色カラーフィルタが備えられている。赤色カラーフィルタは、主として赤色光成分に加えて、赤色光以上の波長を有する光成分（例えば、概ね７００ｎｍ以上の波長を有する近赤外光成分）を透過すると共に、赤色光以下の波長を有する光成分（例えば、可視光成分）を遮光するフィルタである。この赤色カラーフィルタとしては、例えば一般的な電気光学装置におけるカラー表示を実現するために用いられる赤色カラーフィルタを用いてよい。
【００１０】
従って、第２受光素子には、赤色カラーフィルタを透過した環境光と、赤色カラーフィルタを透過しない（或いは、透過する）環境光以外の他の光（例えば、バックライト光等）とが入射する。他方で、環境光が第１受光素子に入射する光路上には、主として赤色光を透過する赤色カラーフィルタが備えられていない。従って、第１受光素子には、赤色カラーフィルタを透過しない環境光（つまり、環境光そのもの）と、赤色カラーフィルタを透過しない（或いは、透過する）環境光以外の他の光とが入射する。
【００１１】
このため、第１受光素子には、第１受光素子の環境温度に応じた熱電流、環境光以外の他の光を受光することで生ずる受光電流、環境光の可視光成分を受光することで生ずる受光電流及び環境光の近赤外光成分を受光することで生ずる受光電流の夫々が生ずる。他方で、第２受光素子には、第２受光素子の環境温度に応じた熱電流、環境光以外の他の光を受光することで生ずる受光電流及び環境光の近赤外光成分を受光することで生ずる受光電流の夫々が生ずる。従って、後述する検出回路には、第１受光素子における受光結果（つまり、第１受光素子の環境温度に応じた熱電流、環境光以外の他の光を受光することで生ずる受光電流、環境光の可視光成分を受光することで生ずる受光電流及び環境光の近赤外光成分を受光することで生ずる受光電流）と、第２受光素子における受光結果（つまり、第２受光素子の環境温度に応じた熱電流、環境光以外の他の光を受光することで生ずる受光電流及び環境光の近赤外光成分を受光することで生ずる受光電流）との差分である「環境光の可視光成分を受光することで生ずる受光電流」が出力される。
【００１２】
これにより、本発明の光検出装置は、バックライト光やフォトダイオード自身の温度特性の影響を排除するのみならず、人間の目に感知されない近赤外光成分（具体的には、環境光の近赤外光成分）の影響を排除した受光電流を出力することができる。言い換えれば、第１受光素子及び第２受光素子の夫々が近赤外光成分に対して感度を有している場合であっても、本発明の光検出装置は、人間の目に感知されない近赤外光成分の影響を排除した受光電流を出力することができる。言い換えれば、第１受光素子及び第２受光素子の夫々の個々が、人間の目の比視感度波長域に有効な分光感度を有しているが、その分光感度特性が、人間の目の比視感度特性と異なっている場合であっても、光検出装置全体としての分光感度特性を、人間の目の比視感度特性に相対的に近づけることができる。例えば、周囲の環境（つまり、環境光）が「暗い」と人間の目には感知されている状況では、環境光が相対的に暗いことを示す受光電流を出力することができ、且つ周囲の環境（つまり、環境光）が相対的に「明るい」と人間の目には感知されている状況では、環境光が相対的に明るいことを示す受光電流を出力することができる。従って、本発明の光検出装置によれば、周囲の環境光の光強度を好適に検出することができる。
【００１３】
加えて、赤色カラーフィルタを用いているため、特別な製造工程を追加することなく或いは特別な材料を用いることなく、上述した光検出装置の構成を実現することができる。従って、比較的容易に又は安価に上述した光検出装置を実現することができる。
【００１４】
尚、第１受光素子及び第２受光素子の夫々が近赤外光成分に対して感度を有している状況は、低温ポリシリコンプロセスによって形成された光センサ（例えば、ＰＩＮダイオードやＭＯＳトランジスタ等）を第１受光素子及び第２受光素子として用いる場合に顕著になる。従って、本発明の光検出装置は、低温ポリシリコンプロセスによって形成された光センサを第１受光素子及び第２受光素子として用いる場合に特に有効である。
【００１５】
本発明の光検出装置の一の態様では、前記環境光が前記第１受光素子に入射する光路に配置される第１の緑色カラーフィルタを更に備える。
【００１６】
この態様によれば、第１受光素子には、第１の緑色カラーフィルタを透過した環境光と、赤色カラーフィルタ及び第１の緑色カラーフィルタの少なくとも一方を透過しない（或いは、透過する）環境光以外の他の光とが入射する。このため、後述する検出回路には、第１受光素子における受光結果と、第２受光素子における受光結果との差分である「環境光の可視光成分（特に、緑色カラーフィルタを透過することで得られる人間の目の比視感度特性に応じた環境光の可視光成分）を受光することで生ずる受光電流」が出力される。このため、第１受光素子及び第２受光素子の夫々の個々が、人間の目の比視感度波長域に有効な分光感度を有しているが、その分光感度特性が、人間の目の比視感度特性と異なっている場合であっても、光検出装置全体としての分光感度特性（特に、光検出装置全体の環境光に対する分光感度特性）を、人間の目の比視感度特性に相対的により近づけることができる。従って、周囲の環境光の光強度をより好適に検出することができる。
【００１７】
尚、第１の緑色カラーフィルタは、主として緑色光成分を透過するフィルタである。この第１の緑色カラーフィルタとしては、例えば一般的な電気光学装置におけるカラー表示を実現するために用いられる緑色カラーフィルタを用いてよい。これにより、特別な製造工程を追加することなく或いは特別な材料を用いることなく、上述した光検出装置の構成を実現することができる。従って、比較的容易に又は安価に上述した光検出装置を実現することができる。
【００１８】
上述の如く第１の緑色カラーフィルタを備える光検出装置の態様では、前記環境光が前記第２受光素子に入射する光路に配置される第２の緑色カラーフィルタを更に備えるように構成してもよい。
【００１９】
この態様によれば、第２受光素子に入射する光路に赤色カラーフィルタのみが配置される場合に、第１受光素子と第２受光素子の検出結果の差分として検出することができなかった概ね５００ｎｍから７００ｎｍ以下の可視光成分を、第１受光素子と第２受光素子の検出結果の差分として検出することが可能になるので、周囲の環境光の光強度をより好適に検出することができる。例えば、５６０ｎｍ前後の可視光におけるカラーフィルタの透過率は、緑色カラーフィルタが４０％程度、赤色カラーフィルタが２０％程度のため、第２受光素子において、５６０ｎｍ前後の可視光は、緑色カラーフィルタと赤色カラーフィルタを透過することで、最終的には、８％程度の光が受光されることになる。これに対して、第１受光素子において、５６０ｎｍ前後の可視光は、第１の緑色カラーフィルタの透過率に応じた４０％程度の光が受光されることになる。従って、５６０ｎｍ前後の可視光においては、第１受光素子における受光結果と第２受光素子における受光結果に差分が生じるので、この差分が生じた分を環境光成分として検出することが可能になるので、周囲の環境光の光強度をより好適に検出することができるのである。
【００２０】
尚、第２の緑色カラーフィルタは、主として緑色光成分を透過するフィルタである。この第２の緑色カラーフィルタとしては、例えば一般的な電気光学装置におけるカラー表示を実現するために用いられる緑色カラーフィルタを用いてよい。これにより、特別な製造工程を追加することなく或いは特別な材料を用いることなく、上述した光検出装置の構成を実現することができる。従って、比較的容易に又は安価に上述した光検出装置を実現することができる。
【００２１】
上述の如く第２の緑色カラーフィルタを備える光検出装置の態様では、前記第２の緑色カラーフィルタは、前記環境光が前記第２受光素子に入射する側から見て前記赤色カラーフィルタの手前側に位置するように構成してもよい。
【００２２】
このように構成すれば、光検出装置の外観（特に、第１受光素子及び第２受光素子の夫々が配置される部分の外観）を、緑色カラーフィルタの外観に統一することができる。
【００２３】
本発明の光検出装置の他の態様では、前記第１受光素子における受光結果と前記第２受光素子における受光結果との差分に基づいて、前記環境光の可視光成分を検出する検出回路を更に備える。
【００２４】
この態様によれば、第１受光素子における受光結果と第２受光素子における受光結果との差分である「環境光の可視光成分を受光することで生ずる受光電流」に基づいて、環境光の可視光成分（例えば、可視光成分の光強度等）を高精度に検出することができる。
【００２５】
本発明の光検出装置の他の態様では、環境光を含む光を受光し、前記環境光の少なくとも可視光成分に受光感度を有する第１受光素子及び第２受光素子と、前記第１受光素子における受光結果と前記第２受光素子における受光結果との差分に基づいて前記環境光の可視光成分を検出する検出回路を備え、前記第１受光素子及び前記第２受光素子の夫々が低温ポリシリコンプロセスにより基板上に形成された光検出装置であって、前記環境光が前記第２受光素子に入射する光路に配置され、前記可視光成分を遮断し、近赤外光成分を透過するフィルタを更に備える。
【００２６】
この態様の光検出装置によれば、人間の目に感知されない近赤外光成分の影響を排除した受光電流を出力することができる。言い換えれば、第１受光素子及び第２受光素子の夫々が近赤外光成分に対して感度を有している場合であっても、本発明の光検出装置は、人間の目に感知されない近赤外光成分の影響を排除した受光電流を出力することができる。言い換えれば、第１受光素子及び第２受光素子の夫々の個々が、人間の目の比視感度波長域に有効な分光感度を有しているが、その分光感度特性が、人間の目の比視感度特性と異なっている場合であっても、光検出装置全体としての分光感度特性を、人間の目の比視感度特性に相対的に近づけることができる。例えば、周囲の環境（つまり、環境光）が「暗い」と人間の目には感知されている状況では、環境光が相対的に暗いことを示す受光電流を出力することができ、且つ周囲の環境（つまり、環境光）が相対的に「明るい」と人間の目には感知されている状況では、環境光が相対的に明るいことを示す受光電流を出力することができる。従って、この態様の光検出装置によれば、周囲の環境光の光強度を好適に検出することができる。
【００２７】
加えて、第１受光素子と第２受光素子を低温ポリシリコンプロセスにより基板上に形成することで、受光素子が、可視光成分のみならず近赤外光成分にまで感度を有している場合であっても、可視光成分を遮断し、近赤外光成分を透過するフィルタを第２受光素子の光路に配置することで、周囲の環境光の光強度を好適に検出することができる。
【００２８】
（電気光学装置）
上記課題を解決するために、本発明の電気光学装置は、上述した本発明の光検出装置（但し、その各種態様を含む）を備える。
【００２９】
本発明の電気光学装置によれば、上述した本発明の光検出装置が享受する各種効果と同様の効果を享受することができる。
【００３０】
尚、上述した本発明の光検出装置が採り得る各種態様に対応して、本発明の電気光学装置も各種態様を採ることができる。そのような電気光学装置としては、例えば、有機ＥＬ装置、プラズマ表示装置、電子ペーパ等の電気泳動装置等を挙げることができる。
【００３１】
本発明の電気光学装置の一の態様では、前記電気光学装置に対して光を供給する光源と、前記第１受光素子における検出結果と前記第２受光素子における検出結果との差分に基づいて、前記光源の光量を調整する調整回路とを備える。
【００３２】
この態様によれば、上述した光検出装置により高精度に検出される環境光の可視光成分に基づいて、光源の光量（言い換えれば、電気光学装置の輝度）を好適に調整することができる。
【００３３】
（電子機器）
上記課題を解決するために、本発明の電子機器は、上述した本発明の電気光学装置（但し、その各種態様を含む）を備える。
【００３４】
本発明の電子機器によれば、上述した本発明の電気光学装置（或いは、その各種態様）備えているため、上述した本発明の電気光学装置が享受する各種効果と同様の効果を享受することができる。つまり、このため、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００３５】
本発明の作用及び他の利得は次に説明する実施の形態から更に明らかにされよう。
【発明を実施するための最良の形態】
【００３６】
以下、本発明を実施するための最良の形態を、図面に基づいて説明する。尚、以下では、本発明に係る電気光学装置の一例として、液晶装置を用いて説明を進める。
【００３７】
（１）液晶装置の基本構成
先ず、本実施形態に係る液晶装置の構成について、図１及び図２を参照して説明する。図１は、本実施形態に係る液晶装置の構成を示す平面図であり、図２は、図１のＨ−Ｈ’断面図である。
【００３８】
図１及び図２において、本実施形態に係る液晶装置１では、ＴＦＴアレイ基板１０と対向基板２０とが対向配置されている。ＴＦＴアレイ基板１０と対向基板２０との間に液晶層５０が封入されることで、液晶パネル１００が構成されている。また、ＴＦＴアレイ基板１０と対向基板２０とは、画像表示領域１０ａの周囲に位置する枠状或いは額縁状のシール領域に設けられたシール材５２により互いに貼り合わされている。
【００３９】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。但し、データ線駆動回路１０１は、シール領域よりも内側に、データ線駆動回路１０１が額縁遮光膜５３に覆われるようにして設けられていてもよい。この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４０】
また、シール領域よりも内側には、本発明における「光検出装置」の一具体例を構成する光センサ部１３０が、額縁遮光膜５３に覆われるようにして設けられている。このため、額縁遮光膜５３のうち光センサ部１３０が設けられる箇所は、環境光を光センサ部１３０に透過させることが可能に構成されている。尚、光センサ部１３０の詳細な構成については、後に詳述する（図３等参照）
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００４１】
また、ＴＦＴアレイ基板１０上には、光センサ部１３０の出力に基づいて環境光の光強度を算出すると共に本発明における「検出回路」の一具体例を構成する光強度算出回路１１０と、光強度算出回路１１０において算出された環境光の光強度に基づいてバックライト１４１の輝度を調整すると共に、本発明における「調整回路」の一具体例を構成するバックライトコントローラ１２０とが形成されている。
【００４２】
図２において、ＴＦＴアレイ基板１０上には、駆動素子である画素スイッチング用のＴＦＴ（Thin Film Transistor）や走査線、データ線等の配線が作り込まれた積層構造が形成されている。画像表示領域１０ａには、画素スイッチング用ＴＦＴや走査線、データ線等の配線の上層に画素電極９ａがマトリクス状に設けられている。画素電極９ａ上には、配向膜８が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明材料からなる対向電極２１が複数の画素電極９ａと対向してベタ状に形成されている。対向電極２１上には配向膜８が形成されている。また、液晶層５０は、例えば一種又は数種類のネマティック液晶を混合した液晶からなり、これら一対の配向膜間で、所定の配向状態をとる。
【００４３】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４４】
加えて、液晶装置１は、画素電極９ａをＩＴＯ等から形成するなどにより、透過型表示を行うように構成されてもよい。或いは、画素電極９ａをアルミニウム等から形成するなどにより或いは画素電極９ａの背後に反射膜を配置するなどにより、画素電極９ａに反射領域及び透過領域の両者を設けた半透過反射型表示を行うように構成されてもよい。また本実施形態においては、上述したように、観察者から見た液晶パネルの背後にバックライト１４１が適宜配置された直視型であることが好ましい。
【００４５】
このため、本実施形態に係る液晶装置１は、バックライトモジュール１４０を備える。バックライトモジュール１４０は、ＴＦＴアレイ基板１０の下側から光を出射する。液晶装置１においては、バックライト１４０から出射された光の透過率が画像表示領域１０ａ内で画像信号に応じて制御されることで、画像の表示が行なわれる。
【００４６】
バックライトモジュール１４０は、光源を構成する一の又は複数の点光源でなる発光ダイオードからなるバックライト１４１を備える。バックライト１４１の側方であって、液晶パネル１００の画像表示領域１０ａの下方には、導光板１４２が設けられる。バックライト１４１は、導光板１４２の側面に配置され、導光板１４２内に光を出射することができるように構成されている。
【００４７】
導光板１４２は、略板形状を有し、その一側面（入射面）がバックライト１４１の出射面に対向するように配置される。導光板１４２は、例えば、透明なアクリル樹脂で成形されており、バックライト１４１に面した一側面以外の３つの側面は、例えば反射特性又は散乱特性を有する材料（例えば、白色印刷層等）の反射層が形成されている。バックライト１４１に面した導光板１４２の一側面からは、バックライト１４１から出射される光が入射して、導光板１４２の内部に導かれる。
【００４８】
尚、導光板１４２の材料としては、アクリル樹脂の他に、透明性もしくは透光性を有するポリカーボネート樹脂、非晶性ポリオレフィン樹脂などの各種樹脂、ガラスなどの無機材料、またはこれらの複合体を用いることができる。
【００４９】
導光板１４２は、底面及び側面の反射層によって、入射光を反射、散乱させ、上面から光を出射するように構成されている。導光板１４２の上面には、拡散シート及びプリズムシート等を含む光学シート１４３が形成される。光学シート１４３は、光学シート１４３上に画像表示領域１０ａが配置されるように、導光板１４２上に形成される。そして、光学シート１４３が、導光板１４２からの光を拡散して上方に出射することで、光学シート１４３からの光が、画像表示領域１０ａに入射する。
【００５０】
（２）光センサ部の構成
続いて、図３及び図４を参照して、光センサ部１３０のより具体的な構成について説明する。ここに、図３は、光センサ部１３０のより具体的な構成を概念的に示す断面図であり、図４は、光センサ部１３０の周辺の構成を概念的に示すブロック図である。
【００５１】
図３及び図４に示すように、光センサ部１３０は、ＳＯＧ（システム・オン・グラス）技術によりＴＦＴアレイ基板１０上に形成されており、本発明における「第１受光素子」の一具体例を構成するフォトダイオード１３１と、本発明における「第２受光素子」の一具体例を構成するフォトダイオード１３２とを備えている。
【００５２】
フォトダイオード１３１は、Ｐ型半導体層１３１ａと、半導体層１３１ｂと、ｎ型半導体層１３１ｃとがこの順に接合されたＰＩＮダイオードである。また、フォトダイオード１３２は、Ｐ型半導体層１３２ａと、半導体層１３１ｂと、ｎ型半導体層１３１ｃとがこの順に接合されたＰＩＮダイオードである。フォトダイオード１３１のＰ型半導体層１３１ａは、配線１３３を介して高位電源ＶＨＨに電気的に接続されており、フォトダイオード１３１のｎ型半導体層１３１ｃは、配線１３４を介してフォトダイオード１３２のＰ型半導体層１３２ａと電気的に接続されており、フォトダイオード１３２のｎ型半導体層１３２ｃは、配線１３５を介して低位電源ＶＬＬと電気的に接続されている。つまり、本実施形態では、フォトダイオード１３１とフォトダイオード１３２とは直列に接続されている。尚、フォトダイオード１３１及びフォトダイオード１３２の夫々は、低温ポリシリコンプロセスを用いてＴＦＴ基板１０上に形成されることが好ましい。
【００５３】
フォトダイオード１３１とフォトダイオード１３２との間（つまり、配線１３４）には、光強度算出回路１１０の入力端子が電気的に接続されている。従って、光強度算出回路１１０には、フォトダイオード１３１に発生する電流とフォトダイオード１３２に発生する電流との差分が入力される。光強度算出回路１１０は、フォトダイオード１３１に発生する電流とフォトダイオード１３２に発生する電流との差分に基づいて、外部から液晶装置１に対して入射してくる環境光（より具体的には、バックライト光等以外の外光）の光強度を算出する。算出された環境光の光強度は、バックライトコントローラ１２０へ出力される。
【００５４】
バックライトコントローラ１２０は、光強度算出回路１１０により算出される環境光の光強度に基づいて、バックライト１４１の輝度を調整する。
【００５５】
本実施形態では特に、フォトダイオード１３１に対向する対向基板２０の領域部分には、液晶装置１の外部に開けた開口６３が設けられている。他方で、フォトダイオード１３２に対向する対向基板２０の領域部分には、赤色カラーフィルタ６２が設けられている。尚、光センサ部１３０に対向する対向基板２０上の領域部分のうち赤色カラーフィルタ６２及び開口６３が設けられる領域部分以外の領域部分には、光を遮光するブラックマトリクス６１（言い換えれば、上述した額縁遮光膜５３）が設けられている。
【００５６】
ここで、図５を参照して、赤色カラーフィルタ６２のフィルタ特性及び本実施形態に係るフォトダイオード１３１及び１３２（つまり、低温ポリシリコンプロセスにより形成されるＰＩＮダイオード）の分光感度特性について説明する。ここに、図５は、赤色カラーフィルタ６２のフィルタ特性及び本実施形態に係るフォトダイオード１３１及び１３２（つまり、低温ポリシリコンプロセスにより形成されるＰＩＮダイオード）の分光感度特性の夫々を示すグラフである。
【００５７】
図５（ａ）に示すように、赤色カラーフィルタ６２は、主として赤色光成分に加えて、赤色光以上の波長を有する光成分（例えば、概ね７００ｎｍ以上の波長を有する近赤外光成分）を透過すると共に、赤色光以下の波長を有する光成分（例えば、可視光成分）を遮断する特性を有している。より具体的には、赤色カラーフィルタ６２は、概ね５００ｎｍ以下の波長を有する光成分を遮断し、概ね５００ｎｍから７００ｎｍ程度の波長を有する光成分を波長に応じた透過率で透過し、概ね７００ｎｍ以上の波長を有する光成分を概ね１００％の透過率で透過する。
【００５８】
また、図５（ｂ）に示すように、本実施形態に係るフォトダイオード１３１及び１３２の夫々は、概ね４５０ｎｍ程度の波長をピークとする感度特性を有しており、概ね３００ｎｍから７００ｎｍ程度の波長を有する光成分に対して感度を有している。また、本実施形態に係るフォトダイオード１３１及び１３２の夫々は、概ね７００ｎｍから１２００ｎｍ程度の波長を有する光成分に対しても相応に感度を有している。
【００５９】
再び図３及び図４において、フォトダイオード１３２には、図５（ａ）に示すフィルタ特性を有する赤色カラーフィルタ６２を透過した環境光と、環境光以外の他の光（例えば、不図示のバックライト光等）とが入射する。このため、フォトダイオード１３２には、環境光のうちの赤外光の波長以上の波長を有する光成分（例えば、近赤外光成分等）と、環境光以外の他の光（例えば、バックライト光等）とが入射する。ここで、フォトダイオード１３２が図５（ｂ）に示す分光感度特性を有しているため、フォトダイオード１３２には、環境温度に応じて変化する熱電流及び環境光以外の他の光を受光することで生ずる受光電流（バックライト光電流）に加えて、環境光の近赤外光成分（例えば、７００ｎｍから１２００ｎｍ程度の波長を有する光成分）を受光することで生ずる受光電流（近赤外光電流成分）の夫々が生ずる。
【００６０】
他方で、フォトダイオード１３１には、開口６３を介して入射してくる環境光（つまり、赤色カラーフィルタ６２を透過しない環境光であって、環境光そのもの）と、環境光以外の他の光（例えば、バックライト光等）とが入射する。従って、図５（ｂ）に示す分光感度特性を有するフォトダイオード１３１には、フォトダイオード１３１周辺の環境温度に応じて変化する熱電流及び環境光以外の他の光を受光することで生ずる受光電流（バックライト光電流）に加えて、環境光の可視光成分（例えば、３００ｎｍから７００ｎｍ程度の波長を有する光成分）を受光することで生ずる受光電流（可視光電流成分）及び環境光の近赤外光成分（例えば、７００ｎｍから１２００ｎｍ程度の波長を有する光成分）を受光することで生ずる受光電流（近赤外電流成分）の夫々が生ずる。
【００６１】
従って、光強度算出回路１１０には、フォトダイオード１３１における受光結果（つまり、熱電流、バックライト光電流、可視光電流成分及び近赤外電流成分）と、フォトダイオード１３２における受光結果（つまり、熱電流、バックライト光電流及び近赤外電流成分）との差分である「環境光の可視光成分を受光することで生ずる受光電流（つまり、可視光電流成分）」が出力される。
【００６２】
ここで、図６を参照して、本実施形態に係る液晶装置１の比較例について説明する。ここに、図６は、比較例に係る液晶装置１ａが備える光センサ部１３０の周辺の構成を概念的に示すブロック図である。
【００６３】
図６に示すように、比較例に係る液晶装置１ａでは、フォトダイオード１３２に対向する対向基板２０の領域部分には、本実施形態に係る赤色カラーフィルタ６２に代えてブラックマトリクス６１が設けられている。このため、比較例に係る液晶装置１ａでは、フォトダイオード１３２には、環境光が入射することはなく、環境光以外の他の光（例えば、バックライト光等）のみが入射する。このため、フォトダイオード１３２には、フォトダイオード１３２周辺の環境温度に応じて変化する熱電流及び環境光以外の他の光を受光することで生ずる受光電流（バックライト光電流）の夫々が生ずる。従って、比較例に係る液晶装置１ａでは、光強度算出回路１１０には、フォトダイオード１３１における受光結果（つまり、熱電流、バックライト光電流、可視光電流成分及び近赤外電流成分）と、フォトダイオード１３２における受光結果（つまり、熱電流及びバックライト光電流）との差分である「環境光の可視光成分を受光することで生ずる受光電流（つまり、可視光電流成分）」及び「環境光の近赤外光成分を受光することで生ずる受光電流（つまり、近赤外光電流成分）」が出力される。
【００６４】
このため、比較例に係る液晶装置１ａでは、光強度算出回路１１０は、可視光電流成分及び近赤外光電流成分に基づいて環境光の光強度を算出すると共に、バックライトコントローラ１２０は、光強度算出回路１１０により算出される環境光の光強度（つまり、可視光電流成分及び近赤外光電流成分の夫々を含む環境光の光強度）に基づいて、バックライト１４１の輝度を調整する。しかしながら、人間の目に感知されない近赤外光成分に基づく受光電流が光センサ部１３０から光強度算出回路１１０に対して出力されるがゆえに、例えば、人間の目には感知されている環境光の光強度と光強度算出回路１２０により算出される環境光の光強度とが一致しなくなってしまいかねない。具体的には、例えば、周囲の環境（つまり、環境光）が「暗い」と人間の目には感知されている状況であっても、環境光の近赤外光成分に基づく受光電流が出力される分だけ相対的に明るい光強度が算出されてしまいかねない。このため、比較例に係る液晶装置１ａでは、バックライト１４１の輝度を好適に調整することができない
しかるに、本実施形態に係る液晶装置１によれば、バックライト光やフォトダイオード１３１及び１３２自身の温度特性の影響のみならず、人間の目に感知されない近赤外光電流成分（具体的には、環境光の近赤外光電流成分）の影響を排除した受光電流を光センサ部１３０から光強度算出回路１１０に対して出力することができる。言い換えれば、フォトダイオード１３１及び１３２の夫々が近赤外光成分に対して感度を有している場合であっても、光センサ部１３０は、人間の目に感知されない近赤外光成分の影響を排除した受光電流（つまり、可視光電流成分）を光強度算出回路１１０に対して出力することができる。言い換えれば、フォトダイオード１３１及び１３２の夫々の個々の分光感度特性が、人間の目の比視感度特性と異なっている場合であっても、光センサ部１３０全体としての分光感度特性を、人間の目の比視感度特性に相対的に近づけることができる。例えば、周囲の環境（つまり、環境光）が「暗い」と人間の目には感知されている状況では、環境光が相対的に暗いことを示す受光電流を光センサ部１３０から光強度算出回路１１０に対して出力することができる。同様に、周囲の環境（つまり、環境光）が相対的に「明るい」と人間の目には感知されている状況では、環境光が相対的に明るいことを示す受光電流を光センサ部１３０から光強度算出回路１１０に対して出力することができる。従って、本実施形態に係る液晶装置１によれば、周囲の環境光の光強度を好適に検出することができる。その結果、バックライト１４１の輝度を好適に調整することができる。
【００６５】
加えて、本実施形態に係る液晶装置１では、環境光の近赤外光電流成分の影響を排除するために赤色カラーフィルタ６２を用いている。このため、特別な製造工程を追加することなく或いは特別な材料を用いることなく、上述した液晶装置１の構成を実現することができる。従って、比較的容易に又は安価に上述した液晶装置１を実現することができる。
【００６６】
尚、フォトダイオード１３１及び１３２の夫々が近赤外光成分に対して感度を有している状況は、低温ポリシリコンプロセスによって形成されたＰＩＮダイオードをフォトダイオード１３１及び１３２として用いる場合に顕著になる。従って、本実施形態に係る液晶装置１は、低温ポリシリコンプロセスによって形成されたＰＩＮダイオードをフォトダイオード１３１及び１３２として用いる場合に特に顕著な効果を享受することができる。
【００６７】
尚、上述の説明では、フォトダイオード１３１及び１３２としてＰＩＮダイオードを用いる例について説明している。しかしながら、フォトダイオード１３１及び１３２としてＰＩＮダイオード以外の他のダイオード（例えば、ＭＯＳ型トランジスタ等）を用いる場合であっても、上述した構成を採用することで上述した効果を享受することができる。また、ダイオードに限らず、その他の各種受光素子を用いる場合であっても、上述した構成を採用することで上述した効果を享受することができる。
【００６８】
尚、上述の説明では、光強度算出回路１１０及びバックライトコントローラ１２０の詳細な構成及び動作については、説明の簡略化のためにその詳細な説明を省略している。しかしながら、光強度算出回路１１０及びバックライトコントローラ１２０として、既存の液晶装置１等に用いられている任意の構成を採用してもよいことは言うまでもない。例えば、光強度算出回路１１０及びバックライトコントローラ１２０の一例として、特開２００７−２０５９０２号公報に開示されている構成を採用しても良い。
【００６９】
尚、上述した実施形態では液晶パネルとして、ＴＮ（ツイスト・ネマティック）、ＥＣＢ（複屈折電界効果）、ＶＡ（垂直配向）などの縦電界の構成として記載しているが、ＩＰＳ（イン・プレーン・スイチッチング）及びＦＦＳ（フリンジ・フィールド・スイッチング）としても、上述した各種効果を享受できる。
【００７０】
また、上述した実施形態では、第１受光素子における受光結果と第２受光素子における受光結果との差分に基づいて、環境光の可視光成分を検出する構成として、フォトダイオード１３１とフォトダイオード１３２とを直列に接続し、該フォトダイオード１３１とフォトダイオード１３２の間に光強度算出回路１１０の入力端子を電気的に接続し、該光強度算出回路１１０により環境光の可視光成分を検出する構成を記載しているが、この構成に限定されるものではなく、図７を参照して他の構成例を説明する。尚、上述した液晶装置１と同様の構成については、同一の参照符号を付してその詳細な説明は省略する。
【００７１】
図７に示すように、フォトダイオード１３１には、光強度算出回路１１０ａが接続され、フォトダイオード１３２には、光強度算出回路１１０ｂがそれぞれ接続される。従って、光強度算出回路１１０ａには、フォトダイオード１３１の環境温度に応じた熱電流、環境光以外の他の光（バックライト光等）を受光することで生ずる受光電流、環境光の可視光成分を受光することで生ずる受光電流及び環境光の近赤外光成分を受光することで生ずる受光電流の合計が入力され、該入力された電流に基づいて光強度が算出される。他方、光強度算出回路１１０ｂには、フォトダイオード１３２の環境温度に応じた熱電流、環境光以外の他の光（バックライト光等）を受光することで生ずる受光電流、環境光の近赤外光成分を受光することで生ずる受光電流の合計が入力され、該入力された電流に基づいて光強度が算出される。光強度算出回路１１０ａ及び１１０ｂで算出された光強度は、それぞれ差分演算回路１１１に入力され、該差分演算回路１１１は、両方の光強度の差分に基づいて、外部から液晶装置１に対して入射してくる環境光（より具体的には、バックライト光等以外の外光）の光強度を算出する。算出された環境光の光強度は、バックライトコントローラ１２０へ出力される。この構成によれば、フォトダイオード１３１とフォトダイオード１３２とは、直列に接続されないので、ＴＦＴアレイ基板上にレイアウトする際に両者間の配線を考慮する必要がなく、レイアウト性が向上する。
【００７２】
（３）第１変形例
続いて、図８を参照して、本実施形態に係る液晶装置１の第１変形例について説明する。ここに、図８は、第１変形例に係る液晶装置２の光センサ部１３０のより具体的な構成を概念的に示す断面図である。尚、上述した液晶装置１と同様の構成については、同一の参照符号を付してその詳細な説明については省略する。
【００７３】
図８に示すように、第１変形例に係る液晶装置２は、上述した液晶装置１と概ね同一の構成を有している。第１変形例に係る液晶装置２では特に、上述した液晶装置１と比較して、フォトダイオード１３１に対向する対向基板２０の領域部分には、開口６３に代えて緑色カラーフィルタ６４が設けられている。
【００７４】
ここで、図９を参照して、緑色カラーフィルタ６４のフィルタ特性について説明する。ここに、図９は、緑色カラーフィルタ６４のフィルタ特性を示すグラフである。
【００７５】
図９に示すように、緑色カラーフィルタ６４は、主として緑色光成分に加えて、赤色光の波長よりも長い波長を有する光成分（例えば、近赤外光成分）を透過すると共に、それ以外の光成分を遮断する特性を有している。より具体的には、緑色カラーフィルタ６４は、概ね４５０ｎｍ以下の波長の光成分を遮断し、概ね４５０ｎｍから６５０ｎｍ程度の波長の光成分を波長に応じた透過率で透過し、概ね６５０ｎｍ程度の波長の光成分を遮断し、概ね６５０ｎｍから９００ｎｍ程度の波長の光成分を波長に応じた透過率で透過し、概ね９５０ｎｍ以上の波長の光成分を概ね１００％の透過率で透過する。
【００７６】
このため、フォトダイオード１３１には、図９に示すフィルタ特性を有する緑色カラーフィルタ６４を透過した環境光と、環境光以外の他の光（例えば、バックライト光等）とが入射する。このため、フォトダイオード１３１には、環境光のうちの緑色光付近の波長を有する光成分（例えば、可視光成分等）と、環境光のうちの赤外光の波長以上の波長を有する光成分（例えば、近赤外光成分等）と、環境光以外の他の光（例えば、バックライト光等）とが入射する。従って、フォトダイオード１３１には、フォトダイオード１３１周辺の環境温度応じて生ずる熱電流及び環境光以外の他の光を受光することで生ずる受光電流（バックライト光電流）に加えて、環境光の可視光成分（例えば、４５０ｎｍから６５０ｎｍ程度の波長を有する光成分）を受光することで生ずる受光電流（可視光電流成分）及び環境光の近赤外光成分（例えば、７００ｎｍから１２００ｎｍ程度の波長を有する光成分）を受光することで生ずる受光電流（近赤外光電流成分）の夫々が生ずる。
【００７７】
従って、光強度算出回路１１０には、フォトダイオード１３１における受光結果（つまり、熱電流、バックライト光電流、可視光電流成分及び近赤外電流成分）と、フォトダイオード１３２における受光結果（つまり、熱電流、バックライト光電流及び近赤外電流成分）との差分である「環境光の可視光成分を受光することで生ずる受光電流（つまり、可視光電流成分）」が出力される。従って、第１変形例に係る液晶装置２によれば、上述した液晶装置１と同様に、周囲の環境光の光強度を好適に検出することができる。その結果、バックライト１４１の輝度を好適に調整することができる。
【００７８】
特に、第１変形例では、フォトダイオード１３１には、緑色カラーフィルタ６４を透過した環境光が入射する。ここで、緑色カラーフィルタ６４の分光感度特性が、人間の目の比視感度特性に相対的に近いことを考慮すれば、第１変形例に係る液晶装置２では、人間の目の比視感度特性に応じた環境光の可視光電流成分を光センサ部１３０から光強度算出回路１１０に対して出力することができる。つまり、光センサ部１３０全体としての分光感度特性（特に、光センサ部１３０全体の環境光に対する分光感度特性）を、人間の目の比視感度特性に相対的に近づけることができる。従って、周囲の環境光の光強度をより好適に検出することができる。その結果、バックライト１４１の輝度をより好適に調整することができる。
【００７９】
加えて、第１変形例に係る液晶装置２では、光センサ部１３０全体の分光感度特性を人間の目の比視感度特性に近づけるために緑色カラーフィルタ６４を用いている。このため、特別な製造工程を追加することなく或いは特別な材料を用いることなく、上述した液晶装置２の構成を実現することができる。従って、比較的容易に又は安価に上述した液晶装置２を実現することができる。
【００８０】
（４）第２変形例
続いて、図１０を参照して、本実施形態に係る液晶装置１の第２変形例について説明する。ここに、図１０は、第２変形例に係る液晶装置３の光センサ部１３０のより具体的な構成を概念的に示す断面図である。尚、上述した液晶装置１又は液晶装置２と同様の構成については、同一の参照符号を付してその詳細な説明については省略する。
【００８１】
図１０に示すように、第２変形例に係る液晶装置３は、上述した第１変形例に係る液晶装置２と概ね同一の構成を有している。第２変形例に係る液晶装置３では特に、第１変形例に係る液晶装置２と比較して、フォトダイオード１３２に対向する対向基板２０の領域部分には、赤色カラーフィルタ６２に加えて緑色カラーフィルタ６５が更に設けられている。この緑色カラーフィルタ６５は、上述した緑色カラーフィルタ６４と同一のカラーフィルタであってもよい。
【００８２】
このような構成を有する液晶装置３によれば、上記第１変形例のように、赤色カラーフィルタ６２のみの場合に、フォトダイオード１３１とフォトダイオード１３２の検出結果の差分として検出することができなかった概ね５００ｎｍから７００ｎｍ以下の可視光成分を、差分として検出することが可能になるので、周囲の環境光の光強度をより好適に検出することができる。例えば、５６０ｎｍ前後の可視光におけるカラーフィルタの透過率は、緑色カラーフィルタ６５が４０％程度、赤色カラーフィルタ６２が２０％程度のため、フォトダイオード１３２において、５６０ｎｍ前後の可視光は、緑色カラーフィルタ６５と赤色カラーフィルタ６２を透過することで、最終的には、８％程度の光が受光されることになる。これに対して、フォトダイオード１３１において、５６０ｎｍ前後の可視光は、緑色カラーフィルタ６４の透過率に応じた４０％程度の光が受光されることになる。従って、５６０ｎｍ前後の可視光においては、フォトダイオード１３１における受光結果とフォトダイオード１３２における受光結果に差分が生じるので、この差分が生じた分を環境光成分として検出することが可能になるので、周囲の環境光の光強度をより好適に検出することができるのである。その結果、バックライト１４１の輝度をより好適に調整することができる。
【００８３】
特に、第２変形例に係る液晶装置３では、フォトダイオード１３１及び１３２の夫々には共に、緑色カラーフィルタ６４又は６５を透過した環境光が入射する。このため、フォトダイオード１３１における受光結果とフォトダイオード１３２における受光結果との差分である「環境光の可視光電流成分（特に、人間の目の比視感度特性に応じた環境光の可視光電流成分）を受光することで生ずる受光電流」をより一層高精度に検出することができる。
【００８４】
尚、好ましくは、緑色カラーフィルタ６５は、環境光が液晶装置３に入射する側から見て赤色カラーフィルタ６２の手前側に位置するように設けられることが好ましい。つまり、液晶装置３の外側に緑色カラーフィルタ６５が位置するように緑色カラーフィルタ６５が設けられることが好ましい。これにより、液晶装置３の外観（特に、フォトダイオード１３１及び１３２の夫々が配置される部分の外観）を、緑色カラーフィルタの外観に統一することができる。
【００８５】
（５）電子機器
続いて、図１１及び図１２を参照しながら、上述の液晶装置１を具備してなる電子機器の例を説明する。
【００８６】
図１１は、上述した液晶装置１が適用されたモバイル型のパーソナルコンピュータの斜視図である。図１１において、コンピュータ１２００は、キーボード１２０２を備えた本体部１２０４と、上述した液晶装置１を含んでなる液晶表示ユニット１２０６とから構成されている。液晶表示ユニット１２０６は、液晶装置１の背面にバックライトを付加することにより構成されている。
【００８７】
次に、上述した液晶装置１を携帯電話に適用した例について説明する。図１２は、電子機器の一例である携帯電話の斜視図である。図１２において、携帯電話１３００は、複数の操作ボタン１３０２とともに、半透過反射型の表示形式を採用し、且つ上述した液晶装置１と同様の構成を有する液晶装置１００５を備えている。
【００８８】
これらの電子機器においても、上述した液晶装置１を含んでいるため、上述した各種効果を好適に享受することができる。
【００８９】
尚、図１１及び図１２を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の液晶装置を備える装置等が挙げられる。そして、これらの各種電子機器に対して、上述した液晶装置１を適用可能なのは言うまでもない。
【００９０】
本発明は、上述した実施例に限られるものではなく、請求の範囲及び明細書全体から読み取れる発明の要旨或いは思想に反しない範囲で適宜変更可能であり、そのような変更を伴なう光検出装置、電気光学装置及び電子機器もまた本発明の技術的範囲に含まれるものである。
【図面の簡単な説明】
【００９１】
【図１】実施形態に係る液晶装置の構成を示す平面図である。
【図２】図１のＨ−Ｈ’断面図である。
【図３】光センサ部のより具体的な構成を概念的に示す断面図である。
【図４】光センサ部の周辺の構成を概念的に示すブロック図である。
【図５】赤色カラーフィルタのフィルタ特性及び本実施形態に係るフォトダイオード（つまり、低温ポリシリコンプロセスにより形成されるＰＩＮダイオード）の分光感度特性の夫々を示すグラフである。
【図６】比較例に係る液晶装置が備える光センサ部の周辺の構成を概念的に示すブロック図である。
【図７】光センサ部の周辺の他の構成を概念的に示すブロック図である。
【図８】第１変形例に係る液晶装置の光センサ部のより具体的な構成を概念的に示す断面図である。
【図９】緑色カラーフィルタのフィルタ特性を示すグラフである。
【図１０】第２変形例に係る液晶装置の光センサ部のより具体的な構成を概念的に示す断面図である。
【図１１】液晶装置が適用されたモバイル型のパーソナルコンピュータの斜視図である。
【図１２】液晶装置が適用された携帯電話の斜視図である。
【符号の説明】
【００９２】
１…液晶装置、６２…赤色カラーフィルタ、６３…開口、６４…緑色カラーフィルタ、６５…緑色カラーフィルタ、１１０…光強度検出回路、１２０…バックライトコントローラ、１３０…光センサ部、１３１…フォトダイオード、１３２…フォトダイオード、１４０…バックライトモジュール、１４１…バックライト
【図１】
2010008276.tif 000003
【図２】
2010008276.tif 000004
【図３】
2010008276.tif 000005
【図４】
2010008276.tif 000006
【図５】
2010008276.tif 000007
【図６】
2010008276.tif 000008
【図７】
2010008276.tif 000009
【図８】
2010008276.tif 000010
【図９】
2010008276.tif 000011
【図１０】
2010008276.tif 000012
【図１１】
2010008276.tif 000013
【図１２】
2010008276.tif 000014